(57)【要約】      （修正有）【課題】筒体内部に偏った状態で堆積した粉塵でも容易に掻き落すことができ、しかも、コンパクトな構成で、メンテナンスが容易になり製造コストも抑えることができる粉塵分離器用清掃装置を提供する。【解決手段】スクレーパー１の上方に複数の押圧下降機を配設し、各押圧下降機の上下動を連動せしめるリンク機構を設ける。各押圧下降機を同時に作動させてスクレーパー１を上下摺動せしめる。押圧下降機は、移動ネジ棒２を上下動自在に保持するように設けた駆動スプロケット１１、又は、該駆動スプロケット１１に連動して移動ネジ棒２を上下動自在に保持するように設けた補助スプロケット１５からなる。リンク機構は、連動チェーン２２と、調整スプロケットとを有する。【選択図】図３
0003135549.tif 000002
【実用新案登録請求の範囲】
【請求項１】
粉塵分離器用の筒体内壁面に沿って上下摺動するリング状のスクレーパーを有し、筒体内壁面に粉塵が堆積したときに、これらのスクレーパーを下方に押圧して粉塵を掻き落すようにした粉塵分離器用清掃装置において、スクレーパーの上方に複数の押圧下降機を配設し、各押圧下降機の上下動を連動せしめるリンク機構を設け、各押圧下降機を同時に作動させてスクレーパーを上下摺動せしめることを特徴とする粉塵分離器用清掃装置。
【請求項２】
前記押圧下降機は、モーターの駆動により回転する歯車の軸部に回転ナット部を設け、前記スクレーパーの上部に立設された移動ネジ棒を回転ナット部内にネジ止めすると共に、該移動ネジ棒を上下動自在に保持するように設けた駆動スプロケット、又は、該駆動スプロケットに連動して移動ネジ棒を上下動自在に保持するように設けた補助スプロケットからなる請求項１記載の粉塵分離器用清掃装置。
【請求項３】
前記リンク機構は、前記駆動スプロケットと前記補助スプロケットとに連係する連動チェーンと、該連動チェーンのテンションを一定に調整する調整スプロケットとを有する請求項１記載又は２記載の粉塵分離器用清掃装置。
【請求項４】
前記駆動スプロケットに対して一対の補助スプロケットを略等間隔に配設し、該補助スプロケット相互間に前記調整スプロケットを配すると共に、駆動スプロケットから各補助スプロケット及び調整スプロケットに前記連動チェーンを連係し、各スプロケットの連動チェーンのテンションを一定に調整するように設けた請求項１乃至３いずれか記載の粉塵分離器用清掃装置。
【請求項５】
前記筒体は、エアーと共に粉塵を吸引するダクトの排出口を側面に連結してダクトから排出されたエアーと粉塵とを受け入れる外筒と、該外筒の内部でエアーと粉塵とを分離して粉塵のみを落下せしめる内筒と、該内筒の内部上端に設けられて分離されたエアーを筒体の上方へ排出する排出筒とからなる粉塵分離器用の筒体とする請求項１乃至４いずれか記載の粉塵分離器用清掃装置。
【請求項６】
前記スクレーパーは、前記外筒の内壁面と前記内筒の外壁面との間に配設されるリング状を成し、該スクレーパーの上面に前記移動ネジ棒が複数本立設された請求項１乃至５いずれか記載の粉塵分離器用清掃装置。
【請求項７】
前記移動ネジ棒は、前記筒体の上部に立設した保護カバーに収納されると共に、該保護カバー内の長手方向に沿って摺動するガイドを移動ネジ棒の上端部に有し、これら保護カバーとガイドとで移動ネジ棒の移動時の傾きを防止するように設けた請求項１乃至６いずれか記載の粉塵分離器用清掃装置。
【考案の詳細な説明】
【技術分野】
【０００１】
本考案は、例えば、建築廃材用選別分離システムや集塵システム等の粉塵分離器を使用した適宜システムで利用可能となる粉塵分離器用清掃装置に関するものである。
【背景技術】
【０００２】
従来、この種の粉塵除去手段にあっては、例えば、特許文献１で開示されているサイクロン分離器の清掃装置がある。この清掃装置によると、外筒内壁面に沿って上下摺動するリング状外筒内壁スクレーパーと、内筒壁面に沿って上下摺動するリング状内筒内壁スクレーパーとを有し、外筒及び内筒に粉塵が堆積したときに、これらのスクレーパーを摺動させて粉塵を掻き落すようにしたものである。すなわち、装置の上端部に設けられたエヤシリンダが下方にピストンを押し出すと、ピストンの先端に固着した駆動円盤が連結支持ロッドを介して各スクレーパーを下降させて筒体内部を清掃するものである。
【０００３】
【特許文献１】実開昭５１−１１０３６３号公報
【考案の開示】
【考案が解決しようとする課題】
【０００４】
特許文献１に記載の清掃装置では、装置の上端部に設けた１本のピストンによってリング状のスクレーパーを上下摺動せしめる構造になっているので、清掃作業時のスクレーパーが傾くおそれがあった。すなわち、このスクレーパーを下降させて筒体内部の粉塵を掻き落す際に、堆積物の多い部分と少ない部分とで受ける抵抗が大きく異なるものである。ところが、このスクレーパーを押圧する力は、駆動円盤の中央に固定したピストンによるものであり、各スクレーパーは、上下動を軽くするために筒体の内径よりも若干小さい外径に設けられたものである。そうすると、スクレーパーの周囲縁の一部に大きな抵抗を受けたときに、スクレーパーが傾き、この傾いたスクレーパー自体が上下動の抵抗となって筒体内部での摺動及び清掃が困難になるおそれがある。
【０００５】
このような特許文献１の不都合を解消するには、例えばピストンの駆動力を高める手段などが考えられるが、シリンダーの駆動力を高めるだけでは、スクレーパーや筒体内面を破損するおそれが生じ、また、駆動源となるシリンダーの大型化に伴う清掃装置全体の大型化やコスト高を招き、あるいはメンテナンスの複雑化につながるなどの不都合がある。
【０００６】
しかも、この種の集塵システム等の粉塵分離器等では、ダストから送られてきた粉塵とエアーとを筒体内部で分離する装置なので、ダストの開口部に近い部分と遠い部分では、粉塵の付着量が異なり、この粉塵が堆積して生じる抵抗も筒体内部の位置によって大きく異なるものである。
【０００７】
そこで、本考案は上述の課題を解消すべく案出されたもので、筒体内部に偏った状態で堆積した粉塵でも容易に掻き落すことができ、しかも、コンパクトな構成で、メンテナンスが容易になり製造コストも抑えることができる粉塵分離器用清掃装置の提供を目的とするものである。
【課題を解決するための手段】
【０００８】
本考案の第１の手段は、粉塵分離器用の筒体Ｐ内壁面に沿って上下摺動するリング状のスクレーパー１を有し、筒体Ｐ内壁面に粉塵が堆積したときに、これらのスクレーパー１を下方に押圧して粉塵を掻き落すようにした粉塵分離器用清掃装置において、スクレーパー１の上方に複数の押圧下降機１０を配設し、各押圧下降機１０の上下動を連動せしめるリンク機構２０を設け、各押圧下降機１０を同時に作動させてスクレーパー１を上下摺動せしめることにある。
【０００９】
第２の手段の前記押圧下降機１０は、モーターＲの駆動により回転する歯車１２の軸部に回転ナット部１３を設け、前記スクレーパー１の上部に立設された移動ネジ棒２を回転ナット部１３内にネジ止めすると共に、該移動ネジ棒２を上下動自在に保持するように設けた駆動スプロケット１１、又は、該駆動スプロケット１１に連動して移動ネジ棒２を上下動自在に保持するように設けた補助スプロケット１５からなる。
【００１０】
第３の手段の前記リンク機構２０は、前記駆動スプロケット１１と前記補助スプロケット１５とに連係する連動チェーン２２と、該連動チェーン２２のテンションを一定に調整する調整スプロケット２１とを有する。
【００１１】
第４の手段は、前記駆動スプロケット１１に対して一対の補助スプロケット１５を略等間隔に配設し、該補助スプロケット１５相互間に前記調整スプロケット２１を配すると共に、駆動スプロケット１１から各補助スプロケット１５及び調整スプロケット２１に前記連動チェーン２２を連係し、各スプロケットの連動チェーン２２のテンションを一定に調整するように設けている。
【００１２】
第５の手段の前記筒体Ｐは、前記筒体Ｐは、エアーと共に粉塵を吸引するダクトの排出口を側面に連結してダクトから排出されたエアーと粉塵とを受け入れる外筒Ｐ１と、該外筒Ｐ１の内部でエアーと粉塵とを分離して粉塵のみを落下せしめる内筒Ｐ２と、該内筒Ｐ２の内部上端に設けられて分離されたエアーを筒体Ｐの上方へ排出する排出筒Ｐ３とからなる粉塵分離器用の筒体Ｐとするものである。
【００１３】
第６の手段の前記スクレーパー１は、前記外筒Ｐ１の内壁面と前記内筒Ｐ２の外壁面との間に配設されるリング状を成し、該スクレーパー１の上面に前記移動ネジ棒２が複数本立設されたものである。
【００１４】
第７の手段の前記移動ネジ棒２は、前記筒体Ｐの上部に立設した保護カバー３に収納されると共に、該保護カバー３内の長手方向に沿って摺動するガイド４を移動ネジ棒２の上端部に有し、これら保護カバー３とガイド４とで移動ネジ棒２の移動時の傾きを防止するように設けたことを課題解消のための手段とする。
【考案の効果】
【００１５】
本考案の請求項１により、スクレーパー１の上方に複数の押圧下降機１０を配設し、各押圧下降機１０の上下動を連動せしめるリンク機構２０を設け、各押圧下降機１０を同時に作動させてスクレーパー１を上下動せしめることにより、リング状のスクレーパー１を筒体Ｐ内部で均一に下降移動させることができる。したがって、筒体Ｐ内部に偏った状態で堆積した粉塵でも容易に掻き落すことができる。
【００１６】
請求項２により、押圧下降機１０は、モーターＲの駆動により回転する駆動スプロケット１１、又はこの駆動スプロケット１１に連動する補助スプロケット１５とで構成し、押圧下降機１０に上下動自在に保持した複数の移動ネジ棒２にてスクレーパー１を押圧するので、コンパクトな構成になり、メンテナンスが容易で、製造コストも抑えることができる。
【００１７】
請求項３、４に記載のリンク機構２０により、駆動スプロケット１１と補助スプロケット１５とに連係する連動チェーン２２のテンションを一定に調整することができるので、押圧下降機１０によるスクレーパー１の押圧力を一定に保つことができる。この結果、移動時にスクレーパー１が傾いて、清掃の妨げになるなどのおそれは解消された。
【００１８】
請求項５、６により、エアーと共に粉塵を吸引するダクトの排出口を側面に連結してダクトから排出されたエアーと粉塵とを受け入れる外筒Ｐ１の内壁部に付着した粉塵を効率良く掻き落すことができる。
【００１９】
請求項７によると、移動ネジ棒２は、前記筒体Ｐの上部に立設した保護カバー３と、移動ネジ棒２の上端部に設けたガイド４とにより、移動ネジ棒２の移動時の傾きを防止するように設けているので、移動ネジ棒２のストロークが長くなっても移動時に移動ネジ棒２が傾くおそれは解消された。したがって、筒体Ｐ内部の上部から下部に至るまで一定の押圧力で清掃することができる。
【００２０】
このように本考案によると、筒体内部に偏った状態で堆積した粉塵でも容易に掻き落すことができ、しかも、コンパクトな構成で、メンテナンスが容易になり製造コストも抑えることができるなどといった実用上有益な種々の効果を奏するものである。
【考案を実施するための最良の形態】
【００２１】
本考案の最良の形態は、スクレーパー１の上方に複数の押圧下降機１０を配設する。この押圧下降機１０は、モーターＲの駆動により回転する歯車１２の軸部に回転ナット部１３を設け、前記スクレーパー１の上部に立設された移動ネジ棒２を回転ナット部１３内にネジ止めすると共に、該移動ネジ棒２を上下動自在に保持する駆動スプロケット１１、又は、該駆動スプロケット１１に連動して移動ネジ棒２を上下動自在に保持する補助スプロケット１５からなる。各押圧下降機１０の上下動を連動せしめるリンク機構２０を設ける。このリンク機構２０は、前記駆動スプロケット１１と前記補助スプロケット１５とに連係する連動チェーン２２と、該連動チェーン２２のテンションを一定に調整する調整スプロケット２１とを有することで、当初の目的を達成するものである。
【実施例】
【００２２】
本考案清掃装置の基本構成は、スクレーパー１と移動ネジ棒２、及びこれらを上下に移動せしめる押圧下降機１０とリンク機構２０とからなり、粉塵分離器用の筒体Ｐ内部に堆積した粉塵を掻き落す装置である。
【００２３】
この筒体Ｐは、外筒Ｐ１と内筒Ｐ２と排出筒Ｐ３とからなる（図２参照）。外筒Ｐ１はダクトＱで吸引したエアーと粉塵とを受け入れるところで、ダクトＱの排出口を側面に連結している。そして、外筒Ｐ１内の粉塵を内筒Ｐ２の外側壁に当ててエアーと粉塵とを分離する。したがって、内筒Ｐ２には粉塵が落下した後のエアーのみが吸い込まれるものである。更にこの内筒Ｐ２の内部上端には、分離されたエアーを筒体Ｐの上方へ排出する排出筒Ｐ３が設けられている。このような筒体Ｐによると、粉塵分離器用のダクトＱで吸引した粉塵を外筒Ｐ１の内壁や内筒Ｐ２の外壁に当ててエアーと分離するのでこれらの部分に粉塵が堆積するものになる。
【００２４】
スクレーパー１は、粉塵分離器用の筒体Ｐ内壁面に沿って上下摺動するリング状の部材で、筒体Ｐ内壁面に粉塵が堆積したときに、これらのスクレーパー１を下方に押圧して粉塵を掻き落すようにする（図３参照）。そのため、このスクレーパー１は、外筒Ｐ１の内壁面と内筒Ｐ２の外壁面との間に配設されるリング状を成している。スクレーパー１の材質は合成樹脂材やゴム材、金属材あるいはこれらの組み合わせなど、付着する粉塵の種類や硬度などによって任意に選択できるものとする。
【００２５】
更に、このスクレーパー１には、スクレーパー１の上面に複数本の移動ネジ棒２が回転自在に立設されている（図３参照）。図示のスクレーパー１には、移動ネジ棒２の下端に回転自在に連結する軸受け１Ｅを固定する固定孔１Ａと、この軸受け１Ｅをネジ止めする連結孔１Ｂとを開穿している（図８参照）。また、リング状の外周縁と内周縁とをそれぞれ鋭角に屈曲して補強周片１Ｃを形成し、これらの補強周片１Ｃ相互をさらに強化リブ１Ｄで連結することで、スクレーパー１全体の強度を高めている（図９参照）。
【００２６】
移動ネジ棒２は、このスクレーパー１を上下移動せしめる長ボルト状の部材で、移動ネジ棒２の下端部をスクレーパー１に回転自在に連結している（図３参照）。そして、スクレーパー１の上方に配設した複数の押圧下降機１０が複数本の移動ネジ棒２を保持すると共に、リンク機構２０によって同時に上下動せしめるものである（図４参照）。この移動ネジ棒２は、筒体Ｐの上部に立設した保護カバー３に収納されている（図３参照）。更に、該保護カバー３の内径に嵌合して保護カバー３の長手方向に沿って摺動するガイド４を設け、このガイド４を移動ネジ棒２の上端部に設けることで、移動ネジ棒２の移動時の傾きを防止するものである。更に、このガイド４の位置を感知する昇降センサー（図示せず）を備えることで、上下移動の範囲を自動調整することができる。
【００２７】
押圧下降機１０には、駆動スプロケット１１と補助スプロケット１５とがある。駆動スプロケット１１は、モーターＲの回転駆動により回転する歯車１２の軸部に回転ナット部１３を設けたもので、この回転ナット部１３内に移動ネジ棒２をネジ止めする（図３参照）。図示例では、モーターＲに連動するチェーン５を係合する歯車１２と、この歯車１２の回転を補助スプロケット１５に連動せしめる連動歯車１４とを備えている。そして、駆動スプロケット１１が回転することで、回転ナット部１３内に保持した移動ネジ棒２が回転し、上下に移動するものである。図５に示す駆動スプロケット１１は、回転ナット部１３を上下の軸受け１１Ａに回転自在に支持すると共に、この回転ナット部１３に、連結ボルト１１Ｂを介して歯車１２と連動歯車１４とを固定したものである。
【００２８】
補助スプロケット１５は、駆動スプロケット１１に連動して移動ネジ棒２を上下動自在に保持する構造を成す（図３参照）。図示の補助スプロケット１５は、駆動スプロケット１１と同様に回転ナット部１６と連動歯車１７とを備えている。そして、駆動スプロケット１１の連動歯車１４に係合した連動チェーン２２により連動歯車１７が連動し、この連動歯車１７の回転に伴って回転ナット部１６内の移動ネジ棒２が上下に移動するものである。
【００２９】
リンク機構２０は、各押圧下降機１０の上下動を連動せしめる機構であり、押圧下降機１０の駆動スプロケット１１や補助スプロケット１５を同時に作動させてスクレーパー１を上下移動せしめるものである（図４参照）。このリンク機構２０は、駆動スプロケット１１と補助スプロケット１５とに連係する連動チェーン２２とこの連動チェーン２２のテンションを一定に調整する調整スプロケット２１とを有するもので、この連動チェーン２２のテンションを一定に調整することで、押圧下降機１０の駆動スプロケット１１や補助スプロケット１５の上下移動を同時にリンクさせるものである。
【００３０】
そのため、駆動スプロケット１１に対して一対の補助スプロケット１５を略等間隔に配設し、該補助スプロケット１５の間に前記調整スプロケット２１を配している（図４参照）。図示例では、テンションの調整を容易にするために、調整スプロケット２１をスクレーパー１の位置よりも外側に寄った位置に位置調整自在に設置している。更に、この調整スプロケット２１から各補助スプロケット１５及び駆動スプロケット１１に連動チェーン２２を連係し、各スプロケットの連動チェーン２２のテンションが一定になるように調整スプロケット２１の位置を調整するものである。図６、図７に示す調整スプロケット２１は、アングル材６等に固定した一対の連結ボルト２３の長さを調整することで、調整スプロケット２１の位置を調整できるようにしている。この調整スプロケット２１は、連結ボルト２３に連結した軸受け２１Ａにベアリング２１Ｂを介して歯車２１Ｃを軸支したもので、上下一対の連結ボルト２３の長さを調整することで、連動チェーン２２のテンションはもとより、連動チェーン２２の上下方向の角度も調整できるものである（図７参照）。
【００３１】
本考案によると、通常はスクレーパー１を外筒Ｐ１内の上部に上げておき、外筒Ｐ１内壁や内筒Ｐ２外壁に粉塵が堆積したときに押圧下降させるものである（図３参照）。スクレーパー１が下降する際は、モーターＲの駆動で駆動スプロケット１１が回転し、この駆動スプロケット１１の回転が、リンク機構２０を介して補助スプロケット１５を同時に回転せしめるものである。この結果、駆動スプロケット１１と補助スプロケット１５とで保持していた移動ネジ棒２が回転し、移動ネジ棒２自体が下降するに伴って、移動ネジ棒２の下端に設けられたスクレーパー１が筒体Ｐの内部を下降し、壁面に付着した粉塵を押圧して掻き落すものである。
【００３２】
本考案が使用される粉塵除去装置としては、例えば、図１に示す如く、フレキシブルチューブ３０を備えたダクトＱや集塵機３１、高圧ターボファン３２、ロータリーフィーダー３３、振動ふるい３４などを備えたものなど、用途に応じて任意の粉塵除去装置に使用することができる。
【００３３】
尚、図示例の各構成は、本考案の一実施例に過ぎず、押圧下降機１０、リンク機構２０等の構成や、スクレーパー１、移動ネジ棒２等の形状の変更など任意に選択できるもので、本考案の要旨を変更しない範囲において自由に変更することができるものである。
【図面の簡単な説明】
【００３４】
【図１】本考案の使用例を示す概略正面図である。
【図２】本考案の筒体の使用例を示す概略正面図である。
【図３】本考案と筒体の内部を示す概略縦断面図である。
【図４】本考案の押圧下降機とリンク機構とを示す概略平断面図である。
【図５】本考案の駆動スプロケットの一実施例を示す要部縦断面図である。
【図６】本考案の調整スプロケットの一実施例を示す要部平面図である。
【図７】本考案の調整スプロケットの一実施例を示す要部縦断面図である。
【図８】本考案のスクレーパーの一実施例を示す平面図である。
【図９】本考案のスクレーパーの一実施例を示す縦断面図である。
【符号の説明】
【００３５】
Ｐ  筒体
Ｑ  ダクト
Ｒ  モーター
１  スクレーパー
１Ａ  固定孔
１Ｂ  連結孔
１Ｃ  補強周片
１Ｄ  強化リブ
１Ｅ  軸受け
２  移動ネジ棒
３  保護カバー  
４  ガイド
５  チェーン
６  アングル材
１０  押圧下降機
１１  駆動スプロケット
１１Ａ  軸受け
１１Ｂ  連結ボルト
１２  歯車
１３  回転ナット部
１４  連動歯車
１５  補助スプロケット
１６  回転ナット部
１７  連動歯車
２０  リンク機構
２１  調整スプロケット
２１Ａ  軸受
２１Ｂ  ベアリング
２１Ｃ  歯車
２２  連動チェーン
２３  連結ボルト
３０  フレキシブルチューブ
３１  集塵機
３２  高圧ターボファン
３３  ロータリーフィーダー
３４  振動ふるい
【図１】
0003135549.tif 000003
【図２】
0003135549.tif 000004
【図３】
0003135549.tif 000005
【図４】
0003135549.tif 000006
【図５】
0003135549.tif 000007
【図６】
0003135549.tif 000008
【図７】
0003135549.tif 000009
【図８】
0003135549.tif 000010
【図９】
0003135549.tif 000011